(57)【特許請求の範囲】
【請求項１】
内部に投影制御用の電子機器を収納するための収納部を有し、前面にスクリーン面を有する箱型のスクリーンボードと、
該スクリーンボードに支持され、前側から前記スクリーン面に映像を投影する投影機と
を備え、
前記スクリーンボードの前記スクリーン面を除く位置に、前記収納部から前記スクリーンボードの外部に連通する通気孔を開設してなるとともに、
前記通気孔が、他の機器との接続用又は電源用の端子又はコードのための取付孔の余剰部で構成されてなる映像表示装置。
【請求項２】
前記通気孔を、前記スクリーンボードの前記収納部を挟んで互いに対向する位置に少なくとも一対開設してなる請求項１記載の映像表示装置。
【請求項３】
前記投影機が、空冷用ファンと空気の導入口及び導出口とを有し、該導入口又は導出口が前記通気孔の近くに位置するように前記投影機を配置してなる請求項１又は２記載の映像表示装置。
【請求項４】
前記スクリーンボードの前面が略長方形状であり、該スクリーンボードを横長姿勢及び縦長姿勢の何れの姿勢であっても保持することができる支持手段を有する設置台を設けてなる請求項１乃至３の何れか１項記載の映像表示装置。
【請求項５】
前記スクリーンボードを天板とした机として構成される請求項１乃至４の何れか１項記載の映像表示装置。
【発明の詳細な説明】
【技術分野】
【０００１】
本発明は、スクリーンボードと投影機とを備えてなる映像表示装置に関し、さらに詳しくは、スクリーンボード内の収納部に、投影制御用の電子機器等を収納することで、外部機器と接続しなくとも単独で使用することもでき、また、電源用又は接続用コードはスクリーンボードの内部で整理することができ、装置全体としての取扱いが容易となる映像表示装置に関する。
【背景技術】
【０００２】
従来、文字や図形、写真などの画像を表示する画像投影装置として、光源と、光源により照明される画像表示手段と、画像表示手段からの画像光を拡大投影する画像投影手段と、これらを収納する筐体とを備えた画像投影装置であって、画像投影装置の設置のための設置基準面を有し、上記画像投影手段は設置基準面と略同一な平面上に筐体の存在する側から画像を投影するよう構成されたものがある（特許文献１参照）。
この画像投影装置は、例えばテーブルの天板に設置基準面が当接するよう置くだけで、天板をスクリーンとして画像を投影し、天板が淡色ならばそのままでも良く、濃色ならば淡色の紙や布を天板の上に置くだけで、天板がスクリーンとして機能するものである。
【０００３】
また、反射投影ディスプレーシステムとして、制御・電源電子回路を有する光学エンジン、および小型ビデオ表示デバイスを提供するための専用投影スクリーンを組み込んだものがある（特許文献２参照）。
この反射投影ディスプレーシステムは、伸縮式アームの先端に配置された投影ヘッドから映像が投影されるものであるため、投影ヘッドが、プレゼンターの頭よりも上方にあり、障害物のない投影ゾーンを提供できるものである。
【０００４】
しかし、特許文献１記載のものは、一般的な画像投影装置と同様に外部の電子機器を用いて、その制御又はデータに基づいて画像を投影するものであるため、このような外部の電子機器を必要とする。
また、特許文献２記載のものは、フレームの一端に設けられたアームの先端に、電子機器が設けられたものであって、重量のバランスに偏りがあるため、持運びしない設置型としては問題ないものの、持運びや角度変更などを可能とするには適さないものとなっていた。
さらに、これらは何れも外部の電子機器との接続用又は電源用等のコードが複数用いられることが多く、これらのコードが装置全体としての取扱い性を低下させるものとなっていた。
【先行技術文献】
【特許文献】
【０００５】
【特許文献１】特開２００４−８５７５２号公報
【特許文献２】特表２００２−５３８５０８号公報
【発明の概要】
【発明が解決しようとする課題】
【０００６】
本発明が前述の状況に鑑み解決しようとするところは、投影制御用の電子機器を内部に収納することで外部の電子機器と接続しない状態でも使用することができ、電子機器との接続用や電源用等のコード等をスクリーンボードの内部を通して配線することができるため、取扱い易い映像表示装置を提供する点にある。
【課題を解決するための手段】
【０００７】
本発明に係る映像表示装置は、前記課題解決のために、内部に投影制御用の電子機器を収納するための収納部を有し、前面にスクリーン面を有する箱型のスクリーンボードと、該スクリーンボードに支持され、前側から前記スクリーン面に映像を投影する投影機とを備え、前記スクリーンボードの前記スクリーン面を除く位置に、前記収納部から前記スクリーンボードの外部に連通する通気孔を開設してなるとともに、前記通気孔が、他の機器との接続用又は電源用の端子又はコードのための取付孔の余剰部で構成されてなるものである。
【０００９】
さらに、前記通気孔を、前記スクリーンボードの前記収納部を挟んで互いに対向する位置に少なくとも一対開設してもよい。
【００１１】
また、前記投影機が、空冷用ファンと空気の導入口及び導出口とを有し、該導入口又は導出口が前記通気孔の近くに位置するように前記投影機を配置してなるものであってもよい。
【００１２】
さらに、前記スクリーンボードの前面が略長方形状であり、該スクリーンボードを横長姿勢及び縦長姿勢の何れの姿勢であっても保持することができる支持手段を有する設置台を設けることもできる。
前記スクリーンボードを天板とした机として構成することもできる。
【発明の効果】
【００１３】
本発明に係る映像表示装置によれば、投影制御用の電子機器を収納するための収納部が、スクリーンボードの内部に設けられているため、投影制御用の電子機器やその他の電子機器をスクリーンボード内に収納することができる。また、電子機器を収納部内に収納することで、これらの電子機器とプロジェクタとの接続用コードや電源用コードを、スクリーンボードの内部を通して配線することができ、これらのコードがスクリーンボードの外部で邪魔にならず全体として取扱いが容易となる。
【００１４】
また、前記スクリーンボードの前記スクリーン面を除く位置に、前記収納部から前記スクリーンボードの外部に連通する通気孔を開設してなるものによれば、電子機器の発熱による収納部内の温度の上昇を抑えることができる。
【００１５】
さらに、前記通気孔を、前記スクリーンボードの前記収納部を挟んで互いに対向する位置に少なくとも一対開設してなると、一方が空気の導入口、他方が導出口として機能することで、収納部の通気性が向上し、収納部内の温度上昇をより効果的に抑えることができる。
【００１６】
さらにまた、前記通気孔が、他の機器との接続用又は電源用の端子又はコードのための取付孔の余剰部で構成されるものであると、収納部に収納した電子機器の電源用コードや、これらの電子機器に対する入力端子などを設けるための取付孔の一部又は全部が通気孔としても機能するため、無駄の少ない構成とすることができ、製品の美観を向上させるとともに製造コストを低廉化することが可能となる。
【００１７】
また、前記投影機が、空冷用ファンと空気の導入口及び導出口とを有し、該導入口又は導出口が前記通気孔の近くに位置するように前記投影機を配置してなるものによれば、投影機に備えられた空冷用ファンが、通気口近くの空気を移動させ、この空気の移動によって、通気孔を通じた空気の流入又は排出が促進され、収納部内の温度上昇をより確実に抑えることができる。
【００１８】
さらに、前記スクリーンボードの前面が略長方形状であり、該スクリーンボードを横長姿勢及び縦長姿勢の何れの姿勢であっても保持することができる支持手段を有する設置台を設けてなると、横長姿勢及び縦長姿勢の何れの姿勢でも使用することができるため、使用目的や対象映像などによってスクリーン面を変更することができる。
【００１９】
さらにまた、前記スクリーンボードを天板とした机として構成されるものによれば、  例えば会議で使用される机として利用することができ、必要な映像を表示し、その映像に対して文字や図柄を記入することができるため、会議の効率を向上することができる。
【図面の簡単な説明】
【００２０】
【図１】本発明の実施形態に係る映像表示装置の構成を示す正面側斜視図である。
【図２】同じく映像表示装置の構成を示す背面側斜視図である。
【図３】同じく映像表示装置のスクリーンボードの蓋板を外した状態を示す正面側斜視図である。
【図４】同じく映像表示装置のスクリーンボードのプロジェクタの支持部の構造を示す部分拡大図である。
【図５】同じく映像表示装置の構成を示す側面図である。
【図６】同じく映像表示装置のスクリーンボードの通気路を示す縦断面拡大図である。
【図７】同じく映像表示装置のスクリーンボードを机としての使用姿勢とした状態を示す側面図である。
【図８】同じく映像表示装置のスクリーンボードを反対側に傾けた状態を示す側面図である。
【図９】同じく映像表示装置のスクリーンボードを縦長姿勢とした状態を示す側面図である。
【発明を実施するための形態】
【００２１】
以下、本発明の実施形態を添付図面に基づき詳細に説明するが、本発明は、添付図面に示された形態に限定されず特許請求の範囲に記載の要件を満たす実施形態の全てを含むものである。また、本明細書において、映像表示装置の表示画面側を前、これと反対側を後とする。
【００２２】
本発明に係る映像表示装置１の実施形態を、図１乃至図９に沿って説明する。
図１乃至図３に示すように、映像表示装置１は、例えば内部に投影制御用の電子機器Ｅを収納するための収納部４を有し、前面にスクリーン面５を有する箱型のスクリーンボード２と、このスクリーンボード２に支持され、前側からスクリーン面５に映像を投射する投影機として短焦点用のプロジェクタ３とを備えてなるものであって、スクリーンボード２は、角度調整可能及び回転可能に支持する支持手段１１を有する設置台１２によって支持されている。
【００２３】
ここで、投影機は、短焦点用のプロジェクタ３に限らず、通常のプロジェクタと反射板等を用いて近接投影を可能としたものや、投射レンズや反射板のみで構成したものであってもよい。また、前側から映像を投射するとは、前方からスクリーンボード２のスクリーン面５の表面側に向かって映像を投射することをいい、映像が投影機から最初に投射された方向に関わらず、スクリーン面５に表示された映像が前方からスクリーン面５の表面側から投射されるもの全てを含む。
【００２４】
スクリーンボード２は、前面にスクリーン面５が設けられ、このスクリーン面５に映像を投射するプロジェクタ３が、スクリーンボード２の上側端部に固定部材８を介して設けられている。スクリーンボード２の内部には、複数の収納部４、４、…が設けられているため、この収納部４にノート型パソコンＥａやバッテリＥｂ、通信機器Ｅｃ等を収納することができる。
【００２５】
スクリーンボード２には、通気孔６としてスクリーンボード２の収納部４、４、…を挟んで互いに対向するように、上側にプロジェクタ用孔７ａ及び上側取付孔７ｂが、下側に下側取付孔７ｃが設けられている。これらの孔７ａ、７ｂ、７ｃは、プロジェクタ３の接続用又は電源用等のコードＣの通すため、又は、接続用等の端子Ｔを取付けるため設けられているが、これらの余剰部は、収納部４の通気孔として機能するものとなっている。この余剰部とは、端子Ｔ等の取付用として形成された孔であって、端子Ｔが取り付けられていないものや、端子Ｔが取り付けられているが通気できるように端子Ｔに孔が設けられていたり、端子Ｔの取付状態で端子Ｔとの隙間が設けられていたりすることで通気可能に形成された孔の一部分を含み、また、接続用や電源用等のコードＣを通すための孔であって、コードＣが通されていないものや、コードＣが通されているが隙間が設けられているため通気可能な一部分、又は、その他の取付用又はコード用等の孔に、その本来の利用方法に従った利用の有無に関わらず通気可能に形成された隙間をいう。このような余剰部による通気孔６、６、…によって収納部４の空気が外部の空気と入れ替わり、収納部４内の温度上昇を抑えることができる。
【００２６】
また、プロジェクタ用孔７ａは、スクリーンボード２の前面上端の略中央に設けられているが、このプロジェクタ用孔７ａも収納部４に連通されているため、収納部４内の空気がこのプロジェクタ用孔７ａから排出される。つまり、収納部４で温められた空気がプロジェクタ用孔７ａからスクリーンボード２の外へ出て、この空気がプロジェクタ３と固定部材８との間を通って、映像表示装置１の外へと完全に排出されることとなる。
【００２７】
ここで、プロジェクタ３には、空冷用ファンが内蔵されている。この空冷用ファンが作動することによって、プロジェクタ３の一方の側面に設けられた空気の導入口９から外部の空気がプロジェクタ３内に吸い込まれるとともに、プロジェクタ３内の空気が他方の側面に設けられた空気の導出口１０から、プロジェクタ３の外部へと排出される。この空気の流れによってプロジェクタ３内の電子機器等は冷却され、高温となることが防止されている。
【００２８】
また、このプロジェクタ３は、前述のように、プロジェクタ用孔７ａの近傍に設けられているため、空冷用ファンによる空気の流れは、このプロジェクタ用孔７ａ近くで引き起こされる。この空気の動きによって、プロジェクタ用孔７ａからの排気は促進されることとなる。つまり、プロジェクタ用孔７ａ近くの空気が流れると、この流れる空気が周りの空気を巻き込みながら移動し、この巻き込まれた空気が移動することによって、プロジェクタ用孔７ａ外側の気圧が低下して、ここに収納部４内の空気が流れ込むように排出される。このため、空冷用ファンを内蔵したプロジェクタ３をプロジェクタ用孔７ａの近くに配置することで、スクリーンボード２の姿勢に関わらず、空冷用ファンが作動している状態では、収納部４の温度上昇が常に防止される。
【００２９】
なお、空冷用ファンの導入口９又は導出口１０を、収納部４に連通する孔、例えばプロジェクタ用のプロジェクタ用孔に対面するように、プロジェクタ３を設置すると、空冷用ファンによって直接的に収納部４内の空気が動かされて、より通気性の高いものとすることが可能である。
【００３０】
スクリーン面５は、スクリーンボード２の前面にスクリーンシートが貼着されることで形成されている。このスクリーン面５は、少なくともプロジェクタ３から投射される映像を写し出すことができるものであればよく、スクリーンシートを貼着しなくとも、スクリーンボード２の前面をそのまま利用するものであってもよいが、このスクリーンシートとして磁性を有するものを用いることで、スクリーン面５をホワイトボードやマグネットボードとしても利用することができ、また、タッチパネルを用いることでスクリーン面５に表示された画像に対して書き込みや修正等を直接行うことができるものとなる。
【００３１】
スクリーンボード２は、略長方形で板状の底板２ｂの周縁に、縦枠２ｃと横枠２ｄが各二本ずつ固定され、これらの内側空間に、略十字状となるように組み合わせた二本の補強部材２ｅ、２ｅが固定されて、この上に蓋板２ａが取り付けられてなるものである。
【００３２】
この蓋板２ａは、嵌め込み式となっているため、これを取り外すことで収納部４の電子機器Ｅを交換したり、メンテナンスしたりすることができる。また、この蓋板２ａの表面には、スクリーン面５が設けられているため、この蓋板２ａを取付けることでスクリーンとして機能することとなるが、この蓋板２ａの代わりに液晶や有機ＥＬなどのディスプレイをパネルとして構成したものを嵌め込むことで、スクリーンではなく他の機能を発揮し得るものとすることもできる。
【００３３】
ここで、スクリーンボード２の蓋板２ａ、底板２ｂ、縦枠２ｃ、横枠２ｄ及び補強部材２ｅは、木製である。このため、映像表示装置１として外観上大きく目立つ部分を木製として、他の金属製、樹脂製のものとはデザイン上の差別化を図ることができるものである。
なお、この蓋板２ａの取付方式として、スライド式等、他の方式を採用することで収納部４の開閉をより簡易なものとしてもよい。また、スライド式を採用する場合において、上半部のみがスライド式で開放するものとして構成し、収納部４を、容易に開放可能な上側と、開放不能な下側とに区分けすることで、収納部４に収納する電子機器Ｅを整理することができるものとしてもよい。
【００３４】
収納部４は、夫々スクリーンボード２の縦枠２ｃ、２ｃと横枠２ｄ、２ｄ、補強部材２ｅ、２ｅによって４つに区画されている。区画された各部は、横枠２ｄに設けられた上側取付孔７ｂ及び下側取付孔７ｃと、補強部材２ｅに設けられた切欠き２ｆによって、外部と連通するものとなっている。また、スクリーンボードの底板２ｂには、電源コード用の孔２ｇが設けられているため、この孔２ｇによっても収納部４は外部と連通するものとなっている。このように収納部４を複数に区画することで、例えばノート型パソコンＥａ、バッテリＥｂ、通信機器Ｅｃを整理して収納することができ、また、これらは補強部材２ｅに設けられた切欠き２ｆにコードを通して接続することができるため、映像表示装置１として様々な機能を備えることが可能である。
【００３５】
また、図示するように、収納部４にバッテリＥｂを収納することで、非常時には電源に接続することなくこの映像表示装置１単独で作動するものとなっているが、このバッテリＥｂを容量の大きいものとすることによって、通常時にも単独で作動することができるものとすることができる。
【００３６】
さらに、プロジェクタ３を設置している端部の反対に位置する収納部４に、重量の大きいノート型パソコンＥａ、バッテリＥｂを収納することで、スクリーンボード２の重量のバランスの偏りを少ないものとしているが、収納部４における電子機器Ｅの配置は、使用者や設置者が自由に設定してもよい。
【００３７】
なお、この収納部４では、全ての部分が外部と連通するように構成されているが、このような構成に限らず、例えば一部の区画は連通せず、埃が入らない部分として構成されたものであってもよい。
【００３８】
図４には、スクリーンボード２に設けられたプロジェクタ３用の固定部材８の構成を示しているが、固定部材８の下部は、内側に空間が形成されており、この空間は、スクリーンボード２のプロジェクタ用孔７ａを介して収納部４に連通している。また、この固定部材８の上にプロジェクタ３を設置しても、これらの間には隙間が形成されるものとなっているため、この隙間が通気孔６ａとして機能することで、収納部４の通気性が確保される。
【００３９】
映像表示装置１の通気性について、図５及び図６を用いて説明する。
ここで、映像表示装置１の収納部４で使用されるノート型パソコンＥａ等の電子機器Ｅは、使用を継続していると温度が高くなり、狭い空間である収納部４内の気温を上昇させることとなるが、このような高い温度下では機能の低下や故障が生じる可能性があるため、これを解消すべく、映像表示装置１は、次のように通気性を確保している。
【００４０】
図５には、映像表示装置１の使用例としてプロジェクタ３を上側にスクリーンボード２を傾斜させた状態を示し、図６には、この状態の部分拡大断面図を示している。
【００４１】
映像表示装置１の使用を開始すると、ノート型パソコンＥａが起動されるためこのノート型パソコンＥａや他の電子機器の温度が上昇し、収納部４内の気温が上昇し始める。この気温の上昇により空気は上がり、補強部材２ｅの切欠き２ｆを通って更に上昇し、上側通気孔６ｂや通気孔６ａを通って外部へ排出される。この空気の排出により、収納部４の内部の気圧が下がり、下側通気孔６ｃから外部の空気が流入する。この一連の空気の流れによって、収納部４内の気温の上昇が防止される。
なお、この空気の流れは、収納部４内の温度が上昇することによって起こるものであって、ノート型パソコンＥａ等の使用によって起こるものである。つまり、収納部４内の温度上昇を防止するという必要時のみ機能し、それ以外の時にはこのような空気の流れは生じない。
【００４２】
図７乃至１０には、映像表示装置１のスクリーンボード２の角度又は姿勢を変更した状態を示す。
映像表示装置１のスクリーンボード２は、支持手段１１を有する設置台１２によって支持されているが、この支持手段１１は、スクリーンボード２の角度変更を可能に支持するものである。このため、図７に示すように、スクリーンボード２を水平状態とすることで、机としても使用することができるものとしてもよく、また、図８に示すように、プロジェクタ３が下側に位置するように傾斜させて使用してもよい。さらに、映像表示装置１を使用しないときには、スクリーンボード２を垂直に近い状態で保持させることで、省スペース化することも可能である。
また、この支持手段１１は、スクリーンボード２を挟んで保持するものとして構成されているため、この挟持部を伸縮させることによって、スクリーンボード２を取り外すことが可能であり、また、図７に示すようにスクリーンボード２を縦長姿勢でも支持することができる。
【００４３】
なお、本実施形態では、スクリーンボードの板材や枠材によって収納部を形成しているが、これに限らず、収納部は一定の空間であって電子機器が収納することがものであればよく、単なる穴として形成されたものであってもよい。また、スクリーン面は平らなものとして説明しているが、凹凸を有する面や曲面であってもよく、設置台は、床面に対して不動に設置されるものに限らず、キャスタを有するものであってもよい。
【符号の説明】
【００４４】
１     映像表示装置
２     スクリーンボード
２ａ   蓋板
２ｂ   底板
２ｃ   縦枠
２ｄ   横枠
２ｅ   補強部材
２ｆ   切欠き
２ｇ   孔
３     プロジェクタ
４     収納部
５     スクリーン面
６     通気孔
６ａ   通気孔
６ｂ   上側通気孔
６ｃ   下側通気孔
７ａ   プロジェクタ用孔
７ｂ   上側取付孔
７ｃ   下側取付孔
８     固定部材
９     空気の導入口
１０   空気の導出口
１１   支持手段
１２   設置台
Ｃ     コード
Ｅ     電子機器
Ｅａ   ノート型パソコン
Ｅｂ   バッテリ
Ｅｃ   通信機器
Ｔ     端子
【図１】
0006648548.tif 000002
【図２】
0006648548.tif 000003
【図３】
0006648548.tif 000004
【図４】
0006648548.tif 000005
【図５】
0006648548.tif 000006
【図６】
0006648548.tif 000007
【図７】
0006648548.tif 000008
【図８】
0006648548.tif 000009
【図９】
0006648548.tif 000010